(57)【要約】【課題】  事務所、休憩所、作業所等、万能に活用可能なコンテナを提供する。【解決手段】  シャッター扉１３０を設けた左側板１１５と対向する右側板１１６の内側に収納棚１７０〜１７８を設けると共に、前板１１１に収容可能な作業台１８０を設け、シャッター扉１３０を設けた側板の下部に起倒可能な側板を兼ねる拡張床１９０を設け、コンテナ体のシャッター扉１３０を設けた側の側板の上部に脱着可能な庇２００を設け、収容棚１７０〜１７８に収容扉を設け、ガスダンパー１７７ａ，１７８ａ（または油圧ダンパーで）で開閉可能とし、シャッター扉１３０及び後部扉１６０は施錠可能である。【選択図】  図１
2016216092.tif 000002
【特許請求の範囲】
【請求項１】
開閉自在なシャッター扉を設けたコンテナ体と、
該コンテナ体の底板に形成された前脚と、
前記コンテナ体の底板に形成されたローラと、
コンテナ脱着装置付き車両に搭載する場合に案内するガイドと、
前記コンテナ体が前記コンテナ脱着装置付き車両に固縛されるための被固縛装置と、
前記コンテナ体の前板に固定される掛合部材と、を備え、
前記コンテナ脱着装置付車両に搭載されるときには、前記掛合部材が前記コンテナ脱着装置付き車両のフックに引っ掛けられて該コンテナ脱着装置付き車両における前方向に移動されることにより搭載され、
前記コンテナ脱着装置付車両から降ろされるときには、前記掛合部材が前記コンテナ脱着装置付き車両のフックに引っ掛けられて該コンテナ脱着装置付き車両の後方に移動されることにより降ろされることを特徴とし、
側板、前板、天板、底板又は後板の少なくとも１つに収納棚を設けると共に、側板、前板、天板、底板又は後板の少なくとも１つに収容可能な作業台を設けた脱着式万能型シャッターコンテナ。
【請求項２】
前記シャッター扉を設けた側板と対向する側板に収納棚を設けた請求項１の脱着式万能型シャッターコンテナ。
【請求項３】
前記シャッター扉を設けた側板の下部に起倒可能な側板を兼ねる拡張床を設けた請求項１又は２の脱着式万能型シャッターコンテナ。
【請求項４】
前記コンテナ体の前記シャッター扉を設けた側の側板の上部に脱着可能な庇を設けた請求項１ないし３いずれかの脱着式万能型シャッターコンテナ。
【請求項５】
前記収容棚に収容扉を設け、該収容扉がガスダンパーまたは油圧ダンパーで開閉可能な請求項１ないし請求項４のいずれかの脱着式万能型シャッターコンテナ。
【請求項６】
前記シャッター扉及び後部扉が施錠可能である請求項１ないし請求項５のいずれかの脱着式万能型シャッターコンテナ。
【発明の詳細な説明】
【技術分野】
【０００１】
本発明は、コンテナ脱着装置付車両を利用して移動可能な脱着式シャッター付きコンテナに関する。
【背景技術】
【０００２】
特許文献１に記載の発明は、迅速・簡易に荷物を収容し移動することのできるコンテナを低コストで提供するため、開閉自在なシャッター扉を設けたコンテナ体を備え、コンテナ脱着装置付き車両に積み下ろしできる扉付き脱着式コンテナが提案されている。
【先行技術文献】
【特許文献】
【０００３】
【特許文献１】特開2013-241204号公報
【発明の概要】
【発明が解決しようとする課題】
【０００４】
しかしながら、従来の特許文献１に記載の発明は、であり、荷物の回収や運搬という用途に限定がされており、未だ十分ではなかった。
【０００５】
そこで、本発明は上記問題に鑑み、事務所、作業所、休憩所等、あらゆる用途に使用が可能な、低コストの脱着式万能型シャッターコンテナ提供することを課題とする。
【課題を解決するための手段】
【０００６】
本発明は、脱着式シャッターコンテナの内部に、用途に応じた様々な収納棚を構成すると共に、折りたたみ式の事務机等の作業台を設置し、現場における簡単な事務処理対応も可能とし、休憩所等としても利用できることを含めた脱着式万能型シャッターコンテナである。すなわち、本発明は、上記課題に鑑み、開閉自在なシャッター扉を設けたコンテナ体と、該コンテナ体の底板に形成された前脚と、前記コンテナ体の底板に形成されたローラと、コンテナ脱着装置付き車両に搭載する場合に案内するガイドと、前記コンテナ体が前記コンテナ脱着装置付き車両に固縛されるための被固縛装置と、前記コンテナ体の前板に固定される掛合部材と、を備え、前記コンテナ脱着装置付車両に搭載されるときには、前記掛合部材が前記コンテナ脱着装置付き車両のフックに引っ掛けられて該コンテナ脱着装置付き車両における前方向に移動されることにより搭載され、前記コンテナ脱着装置付車両から降ろされるときには、前記掛合部材が前記コンテナ脱着装置付き車両のフックに引っ掛けられて該コンテナ脱着装置付き車両の後方に移動されることにより降ろされることを特徴とし、側板、前板、天板、底板又は後板の少なくとも１つに収納棚を設けると共に、側板、前板、天板、底板又は後板の少なくとも１つに収容可能な作業台を設けた脱着式万能型シャッターコンテナである。
【０００７】
前記シャッター扉を設けた側板と対向する側板に収納棚を設けたことが好ましい。
【０００８】
作業台をとしては、折り畳み式机で壁面に収納できるものが好ましい。或いは、脱着式で、使用するときには、取付具により壁面に固定し、壁面から取り外して、壁面に収納する構造でもよい。
【０００９】
収納棚の扉形状は、上開き、片開き、観音開き、差し込み式等、多種多様とする。
【００１０】
前記シャッター扉を設けた側板の下部に起倒可能な側板を兼ねる拡張床を設けたことが好ましい。床面積を拡げる対策として、収納式の拡張床も設置している。収容方式としては、折りたたみ式脚或いはチェーン等で吊り下げる方式が挙げられる。
【００１１】
前記拡張床は煽り戸式に設けることが好ましい。ここでいう煽り戸式とは、横軸に設けられた回動軸をその下部に有することによって開閉自在になされた床をいう。
【００１２】
前記コンテナ体の前記シャッター扉を設けた側の側板の上部に脱着可能な庇を設けたことが好ましい。また、シャッター扉を開けた状態では、天候の状況に対応できるようにしてある。
【００１３】
前記収容棚に収容扉を設け、該収容扉がガスダンパーまたは油圧ダンパーで開閉可能なことが好ましい。収納棚の扉は、形状や重量によって、ガスダンパー等を取り付けて補助することができる。
【００１４】
ここでいうダンパーは、例えば、ガススプリング、コイルスプリング、リーフスプリング、トーションバー、油圧式等を備えたものが好ましい。また、スプリングはコイルスプリング等が挙げられる。
【００１５】
収容扉の材料は、鋼板、エキスパンドメタル、ネット、シート、アクリル板等、収納物により選定し、収納物の確認が必要なものにはネットやアクリル板等を取り付けるようにした。
【００１６】
前記シャッター扉及び後部扉が施錠可能であることが好ましい。
【００１７】
シャッター扉は上下に開閉するものと左右に開閉するものいずれも含む。
【発明の効果】
【００１８】
側板、前板、天板、底板又は後板の少なくとも１つに収納棚を設けると共に、側板、前板、天板、底板又は後板の少なくとも１つに収容可能な作業台を設けた脱着式万能型シャッターコンテナであり、コンテナ脱着装置付き車両に対して脱着式であるため、現場状況に応じて少なくともコンテナの大きさ程度の空地があれば、仮設が可能であること、及び工具等の収納棚、兼事務所、休憩所等でも使用できることも含めて、万能型である。
【００１９】
作業台を壁面に収納できるので、スペースを有効活用できる。
【００２０】
起倒可能な側板を兼ねる拡張床を設けたので、床面積を拡張することができる。
【００２１】
前記コンテナ体に脱着可能な庇を設けたので、天候の状況に対応できる日よけ或いは雨よけができるように屋根部に取り付けることができる。
【００２２】
前記収容棚に収容扉を設け、該収容扉がガスダンパーまたは油圧ダンパーで開閉可能であるので、利用者の開閉時の負担軽減等が可能である。
【００２３】
前記シャッター扉及び後部扉が施錠可能であるので、終業時は、使用工具、道具等を片付けた後、シャッター扉及び後部扉を閉め施錠することで、現場へ仮置きしても盗難について心配することもない。
【００２４】
本発明の脱着式万能型シャッターコンテナによると、コンテナへの荷物の出し入れについて、特別な重機等を必要とせずに簡便に行うことができる。また、コンテナの移動のための車両への脱着を簡便に行うことができる。すなわち、本発明の脱着式万能型シャッターコンテナは、荷物の出し入れおよびコンテナ移動について、迅速容易に行うことが可能となるものである。さらに、本発明に用いる各部材要素は、用いるコンテナにおいて適所に配置することができ使用用途に柔軟に対応することができる上、各部材要素の共通化を図ることができ、製造コストを低廉に抑えることができる。
【図面の簡単な説明】
【００２５】
【図１】本発明による実施例１の脱着式万能型シャッターコンテナ１０１の左側面図である。シャッター扉１３０および内扉１５０は閉じた状態である。
【図２】同実施例の脱着式万能型シャッターコンテナ１０１がコンテナ脱着装置付車両３９０に脱着される様子を示す説明図である。
【図３】同実施例の脱着式万能型シャッターコンテナ１０１の平面図である。
【図４】同実施例の脱着式万能型シャッターコンテナ１０１の底面図である。
【図５】同実施例の脱着式万能型シャッターコンテナ１０１の正面図である。
【図６】同実施例の脱着式万能型シャッターコンテナ１０１の背面図である。
【図７】同実施例の脱着式万能型シャッターコンテナ１０１のシャッター扉１３０および内扉１５０を開いた状態の正面図である。
【図８】同実施例の脱着式万能型シャッターコンテナ１０１のシャッター扉１３０を開いた状態の右側面図である（内扉１５０は閉じた状態）である。
【図９】同実施例の脱着式万能型シャッターコンテナ１０１のシャッター扉１３０を開き、拡張床１９０を倒した状態の右側面図である。
【図１０】同実施例の脱着式万能型シャッターコンテナ１０１の拡張床１９０を倒す方法を示す右側面図である。
【図１１】同実施例の脱着式万能型シャッターコンテナ１０１のシャッター扉１３０と内扉１５０を開き、拡張床１９０を倒した状態の右側面図である。
【図１２】図１１の部分拡大斜視図である。
【図１３】図１１の部分拡大斜視図で、収納棚の収容扉を開いた状態である。
【図１４】図１１の部分拡大斜視図で、別の角度からの、収納棚の収容扉を開いた状態である。
【図１５】同実施例の脱着式万能型シャッターコンテナ１０１の作業台１８０が壁面に収容された状態を示す斜視図である。
【図１６】同実施例の脱着式万能型シャッターコンテナ１０１の作業台１８０を壁面から引き出した状態を示す斜視図である。
【図１７】同実施例の脱着式万能型シャッターコンテナ１０１の作業台１８０を壁面に設置し水平状態とした斜視図である。
【図１８】同実施例の脱着式万能型シャッターコンテナ１０１の天井板に断熱材２２０を設けた内部の状態を示す斜視図である。
【図１９】同実施例の脱着式万能型シャッターコンテナ１０１に風よけ覆い材２４０を設けた状態を示す斜視図である。
【発明を実施するための形態】
【００２６】
本発明の好適な実施例１による脱着式万能型シャッターコンテナ１０１について、図１〜図７を参照して説明する。脱着式万能型シャッターコンテナ１０１は、図１，図８に示す通り、コンテナ体１１０と、コンテナ体１１０に設けられるシャッター扉１３０と、シャッター扉の内側領域に設けられる内扉１５０とを備える。また、脱着式万能型シャッターコンテナ１０１は、前脚１２１、ローラ付後脚１２２、ガイド１２３、被固縛装置１２４、掛合部材１２５からなるコンテナ脱着装置付車両３９０への積み降ろしのための各部材を備える（図２参照）。以下、各部について説明する。
【００２７】
コンテナ体１１０は、図１，図３〜図６に示す通り、中空の直方体構造であり、前板１１１、後板１１２、底板１１３、天板１１４、左側板１１５、右側板１１６を有する箱体である。底板１１３には、図４に示す通り、その前部下面に形成される前脚１２１、後部下面に形成されるローラ付後脚１２２、下面に形成されコンテナ脱着装置付車両３９０に搭載する場合に案内するためのガイド１２３、および下面に形成されコンテナ脱着装置付車両３９０の固縛装置に固縛するためのピンを備えた被固縛装置１２４が設けられる。前脚１２１およびローラ付後脚１２２は折畳構造を備え、フックでコンテナ体１１０に掛け止めして固定することができるように構成されてもよい。これに限らず、前脚１２１およびローラ付後脚１２２は、折畳構造を備えていなくてもよい。前板１１１には両端の基部をリブ１２６により補強して固設された板体に、略Ｕ字状ないし略Ｖ字状のロッドが取り付けられた掛合部材１２５が設けられる（図１，図３〜図５参照）。また、左側板１１５および右側板１１６にはそれぞれシャッター扉１３０が設けられる。後板１１２には後部扉１６０が設けられる。後部扉１６０に代えてシャッター扉としてもよい。また、シャッター扉１３０を後部に設け、左左側板１１５，１１６は開閉式扉としてもよい。
【００２８】
シャッター扉１３０は、図１，図８に示す通り、コンテナ体１１０の左側板１１５および右側板１１６に設けられる開口部１４０を開閉自在になす扉体である。シャッター扉１３０は、細長い鋼板からなるスラットが多数連結されたものであり、巻取りシャフトやプーリー等（図示略）を備えるケース１３１から引き出され、またはケース１３１に巻き取られることにより開閉する周知の扉体である。ケース１３１はコンテナ体１１０の内部において開口部１４０の上方に設けられる（図５〜図８参照）。開口部１４０は支柱部１４１により仕切られている。シャッター扉１３０は錠１３２および手掛１３３を備える手動のものであるが、これに限らず電動のものを用いてもよい。シャッター扉１３０は上下ではなく、左右に開閉するものでも良い。
【００２９】
内扉１５０は、図８〜図１５に示す通り、左右対称の扉体１５１ａ，１５１ｂが回動軸１５２ａ，１５２ｂにより観音扉式に回動開閉自在な扉体である。内扉１５０は開口部１４０の下部であってシャッター扉１３０の内側に設けられる。内扉１５０の上方は空間である。扉体１５１ａ，１５１ｂの下部には、それぞれ扉止め１５３ａ，１５３ｂが設けられ、コンテナ体１１０にはその係合部が設けられる。これらの係合により、内扉１５０は閉じられた状態でロックされる。内扉１５０は、シャッター扉１３０に対して、平行に設けてある。荷物の積載容量の関係から、シャッター扉１３０と、内扉１５０との間隔は隣接または近接する位置が好ましい。また、荷物の堰き止め機能を得られる程度の高さで良い。内扉１５０は開口部１４０の外側空間（コンテナ体１１０の外部空間）に開閉できるようになっており、９０度以上開いた状態では、開口部１４０の外側空間において開くように配置されている。また支柱部１４１により仕切られている。
【００３０】
後部扉１６０は、図６に示す通り、左右対称の後部扉体１６１ａ，１６１ｂが後部扉回動軸１６２ａ，１６２ｂにより観音扉式に回動開閉自在な扉体である。後部扉１６０は、後部扉体１６１ａ，１６１ｂに架設される後部扉錠１６３により閉じられた状態でロックされる。左側板１１５および右側板１１６の下部には後部扉１６０を開いた状態で固定する後部扉止め１６４が設けられる（図１参照）。後部扉１６０の構造は、上下に開閉する煽り戸構造などでもよい。
【００３１】
シャッター扉１３０、開口部１４０および内扉１５０は、図１および図８に示す通り、左側板１１５に左右に二つ設けられているが、枚数は適宜数に設定可能である。これに限られず、シャッター扉１３０、開口部１４０および内扉１５０は、コンテナ体１１０において前板１１１、後板１１２、左側板１１５、右側板１１６のいずれか、または、一以上の板に設けることができ、同時に複数個所設けることもできる。なお、内扉１５０を設けずに、シャッター扉１３０のみによって開口部１４０を開閉することも本発明の適用例として可能である。
【００３２】
シャッター扉１３０を設けた左側板１１５と対向する右側板１１６の内側壁面に収容扉付きの収納棚１７０〜１７８を設けた。収納棚１７７，１７８の収納扉が一対のダンパー１７７ａ，１７８ａ（または油圧ダンパーで）により、それぞれ、開閉可能である。
【００３３】
ダンパー１７７ａ，１７８ａは縦方向に複数個所（ここでは２カ所）設置されており、その上部がシリンダ、下部がロッドとなっている。このダンパー１７７ａ，１７８ａはガスダンパーであり、収容棚１７７，１７８の開閉の際の重量の軽減が可能となる。シリンダの上端は回動軸を介して収納棚１７７，１７８の収容扉の内側上部に連結され、また、ロッドの下端は回動軸を介して、収納棚１７７，１７８の底板に連結されている。収容扉が水平状態でダンパー１７７ａ，１７８ａのガススプリング力による補助力は、例えば３０Kgfに設定してある。収容扉を開くとき、ダンパー１７７ａ，１７８ａをより縮める方向になり、収容扉の重量負荷が概ね１／２以下に軽減される。また、ダンパー１７７ａ，１７８ａの弾性力は収容扉を閉めるときにも作用し、衝撃緩和力を生じる。
【００３４】
前板１１１の内壁面に収容可能な作業台１８０を設けた。この作業台１８０は、作業板１８１と、作業板１８１を脱着可能で壁面に対して横方向に揺動可能で作業板１８１を移動可能なアーム部材１８２と、作業板１８０の固定具１８３と、を備えている。壁面収容部１８４に折り畳み椅子１８５が収容可能である。折り畳み椅子１８５は押さえ部１８６で押さえつけてある。
【００３５】
シャッター扉１３０を設けた左側板１１５の下部に起倒可能な側板を兼ねる拡張床１９０を設けた。この拡張床１９０は、左右一対設けられ、板材１９１と、板材１９１の下端を左側板１１５の下部に揺動自在に連結する丁番１９２と、折り畳み可能な脚１９３と、板材１９１を吊り下げるチェーン１９４と、板材１９１を起立状態でロックするための、左側板１１５に固定されたハンドル式ロック１９５（例えば、エビ金ハンドル、サイドゲートロック等）と、を備えている。
【００３６】
コンテナ体のシャッター扉１３０を設けた側の左側板１１５の上部に脱着可能な庇２００を設けた。この庇２００は、骨材２０１と、骨材２０１に張設したシート材２０２と、骨材２０１から突出する差し込み部材２０３と、差し込み部材２０３を抜き差しするための、天板１１４に設けた受け部材２０４と、を備え、コンテナ体１１０への取り付けと取り外しが可能である。庇２００のシート材２０２の厚さ、強度によっては下に垂れることがある。
【００３７】
シャッター扉１３０及び後部扉１６０が施錠可能である。
【００３８】
図８に示す通り、開口部１４０からそれぞれ資源を投入することができるし、内扉１５０を開いて、収納棚に収納も可能である。
【００３９】
前板１１１、後板１１２、底板１１３、天板１１４、左側板１１５、右側板１１６のいずれか少なくとも１つ以上に、明り窓を設けても良い。明りとり或いは点検窓として機能する。この明り窓は、枠体と、枠体にパッキンを介して固定され開口を被覆する光透過性板（例えば、アクリル樹脂製の板等）と、を備えていることが好ましい。ただし、その構造は限定されるわけではない。明り窓の個数は単数でも複数でも適宜個数を採用可能である。
【００４０】
以下、本発明の実施例１による脱着式万能型シャッターコンテナ１０１の使用について、作用効果とともに説明する。脱着式万能型シャッターコンテナ１０１をコンテナ脱着装置付車両３９０に搭載するときには、図２に示す通り、コンテナ脱着装置付車両３９０のフック３９１で掛合部材１２５を引っ掛けて、アーム３９２によってコンテナ脱着装置付車両３９０における前方向に移動させる。この移動中、前脚１２１が浮いたらこれを畳んだ状態にし、引き続き、アーム３９２によって移動させて搭載する。搭載後、脱着式万能型シャッターコンテナ１０１の被固縛装置１２４をコンテナ脱着装置付車両３９０の固縛装置で固縛し固定する。前脚１２１に加えてローラ付後脚１２２も畳んで運搬してもよい。
【００４１】
一方、コンテナ脱着装置付車両３９０から降ろすときには、脱着式万能型シャッターコンテナ１０１の被固縛装置１２４をコンテナ脱着装置付車両３９０の固縛装置から解除し、畳んだ状態にあるローラ付後脚１２２を展開して立設し、コンテナ脱着装置付車両３９０のフック３９１で掛合部材１２５を引っ掛けて、アーム３９２によってコンテナ脱着装置付車両３９０の後方に移動させて、ローラ付後脚１２２を着地させる。浮いた前脚１２１を展開して立設した後、引き続き、アーム３９２によってコンテナ脱着装置付車両３９０から離脱させる。脱着式万能型シャッターコンテナ１０１は、前脚１２１、ローラ付後脚１２２、ガイド１２３、被固縛装置１２４、掛合部材１２５を備えることによって、コンテナ脱着装置付車両３９０への係脱ないし積み降ろしを円滑に簡単に行うことができる。
【００４２】
つぎに設置状態での脱着式万能型シャッターコンテナ１０１に資源を投入する場合、１つの利用形態としては、シャッター扉１３０を少なくとも１つ巻き上げてケース１３１に収容し、図１０に示す通り、脚１９３のロックを解除し、これを持ち上げ、約９０度、回動させる。つぎにハンドル式ロック１９５を解除し、拡張床１９０を起立状態から倒伏状態（例えば、水平）とし、脚１９３を接地させることで、板材１９１を支持する。又一方、接地面の状態が悪い場合など、脚１９３を使用することが困難な場合には、ハンドル式ロック１９５を回動させてロックを外し、チェーン１９４を板材１９１に引っ掛けて吊り下げた状態とすることで支持してもよい。つぎに、内扉１５０の扉止め１５３ａ，１５３ｂを引き上げて、扉体１５１ａ１５１ｂを外開きとし、扉止め１５３ａ，１５３ｂを板材１９１の面上に設置させる。利用者は、拡張床１９０から内部に入り、資源を分別して、収容扉のロックを解除、または、取り外して、収納棚１７０〜１７８の少なくとも１つ以上に収容可能である。
【００４３】
収納棚１７７，１７８の収容扉の開閉に際し、ダンパー１７７ａ，１７８ａの衝撃緩和作用が働く。収容扉は垂直状態から水平状態に変位し、ダンパー１７７ａ，１７８ａに支持された状態となる。ダンパー１７７ａ，１７８ａは収納棚１７７，１７８の収容扉の開閉の際に邪魔にならないように縦方向の両岸に配置される。収納棚１７７，１７８の収容扉を閉めるときには、開いた状態から収容扉を内側に回動させて起立状態としロックする。また、ダンパーの衝撃緩和作用により、作業者が収容扉の開閉時に感じる収容扉の重量が低減し、安全性が向上する。特に、老人や子供でも重い収納棚１７７，１７８を簡単に開閉できる。収容扉を開閉することにより、側面からの作業性が格段に向上する。収容扉は、網状シート、エキスパンドメタル、或いは、透明板等にすることで、内部に収容された資源の状態を確認できる。
【００４４】
事務作業或いは休憩する場合には、図１５〜図１７に示す通り、アーム部材１８２を横方向の外側に回動させ、作業板１８１を取り外し、固定具１８３で作業板１８１を水平状態に固定する。折り畳み椅子１８５を取り出して、組み立て状態として、使用する。
【００４５】
シャッター扉１３０を開け、拡張床１９０を起立した状態（閉じた状態）、内扉１５０を閉じた状態でも利用できる。また、シャッター扉１３０を開け、拡張床１９０を倒伏状態（開けた状態）、内扉１５０を閉じた状態でも利用できる。コンテナ体１１０の内部に多種多様な資源を出し入れないし保管することができる。例えば、新聞や雑誌等の資源をコンテナ体１１０に乱雑に収容することも可能である。収容扉を閉めておけば、これら資源を適切に保管できる。保管中は収容扉に施錠することができる。また後部扉１６０を開閉することにより、資源を投入、保管ができる。
【００４６】
本発明の以上の実施例に用いる各部材要素は、使用するコンテナにおいて適所に配置することができ、使用用途や仕様に合わせて柔軟に選択し対応することができる。例えば左右の側板において別々の構成をとることができる。また、各部材要素の共通化が図られ、製造コストを低廉に抑えることができる。
【００４７】
以上説明したとおり、本実施形態の脱着式万能型シャッターコンテナ１０１によれば、右側板１１６に収納棚１７０〜１７８を設け、前板１１１に収容可能な作業台１８０を設けたものであり、コンテナ脱着装置付き車両３９０に対して脱着式であるため、現場状況に応じて少なくともコンテナの大きさ程度の空地があれば、仮設が可能であること、及び工具等の収納棚、兼事務所、休憩所等でも使用できることも含めて、万能型である。
【００４８】
作業台１８０を壁面に収納できるので、スペースを有効活用できる。
【００４９】
起倒可能な側板を兼ねる拡張床１９０を設けたので、床面積を拡張することができる。
【００５０】
コンテナ体１１０に脱着可能な庇２００を設けたので、天候の状況に対応できる日よけ或いは雨よけができるように屋根部に取り付けることができる。
【００５１】
収容棚１７０〜１７８に収容扉を設け、収容扉がガスダンパー１７７ａ，１７８ａで開閉可能であるので、利用者の開閉時の負担軽減等が可能である。
【００５２】
シャッター扉１３０及び後部扉１６０が施錠可能であるので、終業時は、使用工具、道具等を片付けた後、シャッター扉１３０及び後部扉１６０（必要により収容棚１７０〜１７８の収容扉）を閉め施錠することで、現場へ仮置きしても盗難について心配することもない。
【００５３】
図１８に示す通り、同実施例の脱着式万能型シャッターコンテナ１０１の天板１１４に断熱材２２０を設けてもよい。この場合、天板１１４の下に仕切板１１４ａを設け、それらの間に断熱材２２０を挿入することとし、断熱材２２０は密閉することが好ましい。これにより、外部温度環境に対応し、内部を適温に保つことができる。
【００５４】
図１９に示す通り、脱着式万能型シャッターコンテナ１０１に風よけ覆い材２４０を設けてもよい。この風よけ覆い材２４０は、パイプからなる支柱２４１と横架材２４２を含む骨組２４３と、骨組２４３に張設するシート２４４（図中、斜線で示す）と、骨組２４３はパイプ構造とし、組み立て、解体が簡単にできるものとする。シート２４４はビニールシート他、布シートでも良い。シート２４４は面ファスナー２４６で骨組２４３に取り付けることが好ましい。冬場、風の強い日など、休憩所等で使用する場合、シャッター１３０の前面空間を覆うことで、風の吹き込みを防止するものである。
【００５５】
この骨組２４３は、パイプ構造とし、継目は抜差構造２４５とし、組み立て、解体が簡単に出来ることと、運搬時はコンテナ１０１内に収納できるようにすることが好ましい。
【００５６】
なお、本発明の実施の形態は、下記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。実施形態ではシャッター扉１３０を２枚、左側板１１５に設けたが、例えば、シャッター扉１３０を右側板１１６に設け、収容棚１７０〜１７８の全部又は一部を左側板１１５に設けてもよい。また、シャッター扉１３０の数又は面積を増減させ、あるいは、収容棚１７０〜１７８の数又は面積を増減させて設けても良い。左側板１１５及び／又は右側板１１６に、シャッター扉１３０と収容棚１７０〜１７８の両方を設けても良い。上記に対応して、拡張床１９０や庇２００の配置、数、面積を変更してもよい。さらには、作業台１８０の位置は前板１１１に限定されず、左側板１１５、右側板１１６、後板１１２、天板１１４、底板１１３のいずれか１つ以上設けても良い。上記実施形態では内扉１５０を設けたが削除したものでも適用が可能である。
【符号の説明】
【００５７】
１０１・・・脱着式万能型シャッターコンテナ
１１０・・・コンテナ体
１１１・・・前板
１１２・・・後板
１１３・・・底板
１１４・・・天板
１１５・・・左側板
１１６・・・右側板
１２１・・・前脚
１２２・・・ローラ付後脚
１２３・・・ガイド
１２４・・・被固縛装置
１２５・・・掛合部材
１２６・・・リブ
１３０・・・シャッター扉
１３１・・・ケース
１３２・・・錠
１３３・・・手掛
１４０・・・開口部
１４１・・・支柱部
１５０・・・内扉
１５１ａ，１５１ｂ・・・扉体
１５２ａ，１５２ｂ・・・回動軸
１５３ａ，１５３ｂ・・・扉止め
１６０・・・後部扉
１６１ａ，１６１ｂ・・・後部扉体
１６２ａ，１６２ｂ・・・後部扉回動軸
１６３・・・後部扉錠
１６４・・・後部扉止め
１７０〜１７８・・・収納棚
１７７ａ，１７８ａ・・・ダンパー
１８０・・・作業台
１８１・・・作業板
１８２・・・アーム部材
１８３・・・固定具
１８４・・・壁面収容部
１８５・・・折り畳み椅子
１８６・・・押さえ部
１９０・・・拡張床
１９１・・・板材
１９２・・・丁番
１９３・・・脚
１９４・・・チェーン
１９５・・・ハンドル式ロック
２００・・・庇
２０１・・・骨材
２０２・・・シート材
２０３・・・差し込み部材
２０４・・・受け部材
２２０・・・断熱材
２４０・・・風よけ覆い材
２４１・・・支柱
２４２・・・横架材
２４３・・・骨組
２４４・・・シート
２４５・・・抜差構造
２４６・・・面ファスナー
３９０・・・コンテナ脱着装置付き車両
３９１・・・フック
３９２・・・アーム
【図１】
2016216092.tif 000003
【図２】
2016216092.tif 000004
【図３】
2016216092.tif 000005
【図４】
2016216092.tif 000006
【図５】
2016216092.tif 000007
【図６】
2016216092.tif 000008
【図７】
2016216092.tif 000009
【図１９】
2016216092.tif 000010
【図８】
2016216092.tif 000011
【図９】
2016216092.tif 000012
【図１０】
2016216092.tif 000013
【図１１】
2016216092.tif 000014
【図１２】
2016216092.tif 000015
【図１３】
2016216092.tif 000016
【図１４】
2016216092.tif 000017
【図１５】
2016216092.tif 000018
【図１６】
2016216092.tif 000019
【図１７】
2016216092.tif 000020
【図１８】
2016216092.tif 000021